(57)【要約】【課題】浴槽の側壁の厚みに合わせて容易に固定でき、浴槽の側壁への取り付け作業と浴槽の側壁からの取り外し作業とを容易に行うことが可能な浴槽用手摺りを提供する。【解決手段】浴槽用手摺り１は、浴槽の側壁の外側と内側にそれぞれ配置される外側本体部材１００と内側本体部材２００とを備える。固定帯歯１２０は外側本体部材１００上に配置される。可動帯歯２２０は内側本体部材２００上に配置されて、固定帯歯１２０と嵌合する。ロックレバー１４０は、外側本体部材１００に回動可能に取り付けられる。ロックレバー１４０が回動することによって、固定帯歯１２０と可動帯歯２２０とが嵌合した状態で固定帯歯１２０と可動帯歯２２０とが固定される固定状態と、固定帯歯１２０と可動帯歯２２０とが固定されない非固定状態とを切り替える。【選択図】図１
2013017625.tif 000002
【特許請求の範囲】
【請求項１】
浴槽の側壁の外側に配置される外側本体部材と、
浴槽の側壁の内側に配置される内側本体部材と、
複数の凹部および／または凸部を含み、前記外側本体部材に配置される第１の嵌合部と、
複数の凸部および／または凹部を含み、前記内側本体部材に配置されて前記第１の嵌合部と嵌合する第２の嵌合部と、
前記第１の嵌合部または前記第２の嵌合部の一方を前記第１の嵌合部または前記第２の嵌合部の他方との間で挟むために前記外側本体部材または前記内側本体部材に取り付けられた挟み部材とを備え、
当該浴槽用手摺りは、前記第１の嵌合部または前記第２の嵌合部の一方が、前記第１の嵌合部または前記第２の嵌合部の他方と前記挟み部材とによって挟まれることによって前記第１の嵌合部と前記第２の嵌合部とが嵌合した状態で前記第１の嵌合部と前記第２の嵌合部とが固定される固定状態と、前記第１の嵌合部と前記第２の嵌合部とが固定されない非固定状態とを切り替えることが可能となるよう構成されている、浴槽用手摺り。
【請求項２】
前記挟み部材は、使用者が前記挟み部材を操作するための操作部を含み、
前記外側本体部材または前記内側本体部材は、前記操作部を係止する係止部を含み、
前記操作部と前記係止部とは、前記固定状態となるよう前記挟み部材が操作されたときに係合されるように配置されている、請求項１に記載の浴槽用手摺り。
【請求項３】
前記操作部は、凹部または凸部を有し、
前記係止部は、前記操作部の凹部または凸部と係合する凸部または凹部を有する、請求項１または請求項２に記載の浴槽用手摺り。
【請求項４】
前記操作部が前記係止部に係合された状態であることを確認するための係止確認部を備える、請求項１から請求項３までのいずれか１項に記載の浴槽用手摺り。
【請求項５】
前記係止確認部は、前記係止部に係合された前記操作部を被覆するように配置される、請求項４に記載の浴槽用手摺り。
【請求項６】
前記第１の嵌合部と前記第２の嵌合部とは、帯歯である、請求項１から請求項５までのいずれか１項に記載の浴槽用手摺り。
【請求項７】
前記挟み部材は、前記外側本体部材または前記内側本体部材に回動可能に取り付けられてカム面を有する偏心カムであり、当該浴槽用手摺りは、前記偏心カムが回動することによって、前記固定状態と前記非固定状態とを切り替えることが可能となるよう構成されている、請求項１から請求項６までのいずれか１項に記載の浴槽用手摺り。
【請求項８】
前記外側本体部材と前記内側本体部材とは、それぞれ、水平面内に延在する水平部を含み、
前記第１の嵌合部は前記外側本体部材の水平部に形成され、
前記第２の嵌合部は前記内側本体部材の水平部に形成され、
前記偏心カムは鉛直面内で回動するように前記外側本体部材または前記内側本体部材に取り付けられている、請求項７に記載の浴槽用手摺り。
【請求項９】
前記偏心カムは前記外側本体部材に取り付けられ、
前記第２の嵌合部は前記第１の嵌合部と前記偏心カムのカム面とによって挟まれる、請求項８に記載の浴槽用手摺り。
【請求項１０】
前記内側本体部材に固定される内側把手を備える、請求項９に記載の浴槽用手摺り。
【請求項１１】
前記偏心カムは、回動軸からカム面までの距離が相対的に小さい小径部と、回動軸からカム面までの距離が相対的に大きい大径部とを含み、前記第１の嵌合部または前記第２の嵌合部から回動軸までの距離が固定された位置に、前記第１の嵌合部と前記第２の嵌合部との嵌合面に略直交する面内で回動するように取り付けられている、請求項７から請求項１０までのいずれか１項に記載の浴槽用手摺り。
【発明の詳細な説明】
【技術分野】
【０００１】
本発明は、一般的には浴槽用手摺りに関し、特定的には、浴槽に着脱可能に取り付けられる浴槽用手摺りに関する。
【背景技術】
【０００２】
従来、浴槽の側壁に着脱可能に取り付けられる浴槽用手摺りがある。
【０００３】
例えば、特開２０１０−２４６６９１号公報（特許文献１）には、浴槽の側壁の上端部に取り付けて使用される浴槽用手摺りが記載されている。この浴槽用手摺りを使用するときには、まず、側片が浴槽の外側に位置するように本体具を側壁の上端部に被せて配置し、押圧具の押圧板を側壁の浴槽外の面に、押圧受け具の押圧受け板を側壁の浴槽内の面に、それぞれ対向させる。そして一対の押圧受け具のスライド片を本体具の差込穴の奥へとスライドさせることによって、各押圧受け具の押圧受け板を移動させ、側壁の浴槽内の面に押圧受け板の滑り止めシートを貼った外面を当接させるものである。
【０００４】
この浴槽用手摺りでは、押圧受け具のスライド片には係合溝が設けられ、本体具にはラッチ爪が設けられている。ラッチ爪は、スライド片に向かって付勢されて、係合溝と係合している。ラッチ爪にはスライド傾斜面が形成され、係合溝には傾斜面が形成されている。ラッチ爪のスライド傾斜面と係合溝の傾斜面とは、スライド片を差込穴の奥へスライドさせる方向で対面している。スライド片を差込穴の奥へ押し込む力をかけることによって、係合溝の傾斜面でラッチ爪のスライド傾斜面が押され、ラッチ爪が係合溝から抜ける。このためスライド片を差込穴の奥へ押し込む方向に力をかけることによって、大きな抵抗なく押圧受け具をスライドさせることができる。
【０００５】
また、この浴槽用手摺りでは、操作ハンドルのハンドルノブを回す操作を行って、ボルト軸を回動させて螺進させ、ボルト軸の先端に設けた押圧具の押圧板を浴槽の側壁面に向かって前進移動させる。ハンドルノブを強く回して押圧板を浴槽の側壁に圧接させることによって、押圧板と押圧受け板との間に側壁を挟み込む。このようにして、押圧板と押圧受け板による安定した挟持力で、浴槽用手摺りを浴槽の側壁の上端部に強固に取り付けることができる。
【先行技術文献】
【特許文献】
【０００６】
【特許文献１】特開２０１０−２４６６９１号公報
【発明の概要】
【発明が解決しようとする課題】
【０００７】
しかしながら、特許文献１に記載の浴槽用手摺りでは、ラッチ爪のスライド傾斜面と係合溝の傾斜面とを対向させ、スライド時にはラッチ爪のスライド傾斜面を係合溝の傾斜面で押すために、係合溝は、スライド方向に沿ってある程度の大きさの幅を有する必要がある。スライド方向に沿った係合溝の幅が大きければ大きいほど、スライド操作による押圧受け具の移動距離の調整が粗くなる。スライド操作による押圧受け具の移動距離の調整が粗ければ、押圧受け板を浴槽の側壁に当接させるように押圧板と押圧受け板との間隔を調整するために、ハンドルノブを大きく締め込まなければならなくなる。
【０００８】
このように、特許文献１の浴槽用手摺りでは、押圧板と押圧受け板とを浴槽の側壁に当接させるために、スライド操作で押圧受け具を移動させた上、さらに、ハンドルノブを大きく締め込まなければならない。そのため、押圧板と押圧受け板との間隔の調整や、浴槽の側壁への浴槽手摺りの取り付け作業、取り外しを容易に行うことができない。
【０００９】
そこで、この発明の目的は、浴槽の側壁の厚みに合わせて固定することが容易であって、浴槽の側壁への取り付け作業と浴槽の側壁からの取り外し作業とを容易に行うことが可能な浴槽用手摺りを提供することである。
【課題を解決するための手段】
【００１０】
この発明に従った浴槽用手摺りは、外側本体部材と、内側本体部材と、第１の嵌合部と、第２の嵌合部と、挟み部材とを備える。
【００１１】
外側本体部材は、浴槽の側壁の外側に配置される。内側本体部材は、浴槽の側壁の内側に配置される。第１の嵌合部は、複数の凹部および／または凸部を含み、外側本体部材に配置される。第２の嵌合部は、複数の凹部および／または凸部を含み、内側本体部材に配置されて、第１の嵌合部と嵌合する。挟み部材は、第１の嵌合部または第２の嵌合部の一方を第１の嵌合部または第２の嵌合部の他方との間で挟むために外側本体部材または内側本体部材に取り付けられる。そして、当該浴槽用手摺りは、第１の嵌合部または第２の嵌合部の一方が、第１の嵌合部または第２の嵌合部の他方と挟み部材とによって挟まれることによって第１の嵌合部と第２の嵌合部とが嵌合した状態で第１の嵌合部と第２の嵌合部とが固定される固定状態と、第１の嵌合部と第２の嵌合部とが固定されない非固定状態とを切り替えることが可能となるように構成されている。
【００１２】
以上のように構成される本発明の浴槽用手摺りは、使用時には、まず、外側本体部材が浴槽の外側に配置され、内側本体部材が浴槽の内側に配置される。外側本体部材と内側本体部材とは、第１の嵌合部と第２の嵌合部とが嵌合するように配置される。第１の嵌合部と第２の嵌合部はそれぞれ、複数の凹部と凸部とを含むので、第１の嵌合部のどの凹部または凸部と、第２の嵌合部のどの凸部または凹部とを嵌合させるのかを変更することによって、第１の嵌合部と第２の嵌合部とが嵌合する長さを調節することができる。第１の嵌合部と第２の嵌合部とが嵌合する長さを、浴槽の側壁の厚みに沿った方向において調節できるように、第１の嵌合部と第２の嵌合部とを配置すれば、浴槽の側壁の厚みに合わせて、外側本体部材と内側本体部材とを浴槽の側壁の側面上に配置することができる。第１の嵌合部と第２の嵌合部に配置される複数の凹部と凸部の間隔は、必要に応じて細かくすることができる。
【００１３】
外側本体部材と内側本体部材とを浴槽の側壁の側面上に配置し、第１の嵌合部と第２の嵌合部とを嵌合させるときには、第１の嵌合部または第２の嵌合部の一方が、第１の嵌合部または第２の嵌合部の他方と挟み部材とによって挟まれるようにして、第１の嵌合部と第２の嵌合部とが嵌合した状態で第１の嵌合部と第２の嵌合部とが固定される固定状態にする。このようにすることにより、内側本体部材と外側本体部材との位置関係が固定される。
【００１４】
一方、使用者が第１の嵌合部と第２の嵌合部とが嵌合する長さを調節するときには、使用者は挟み部材を操作して、第１の嵌合部と第２の嵌合部とが固定されない非固定状態にする。第１の嵌合部と第２の嵌合部とが固定されていないので、使用者は、比較的容易に、第１の嵌合部と第２の嵌合部との位置関係を調整することができる。
【００１５】
このように、使用者は挟み部材を操作するだけで、浴槽用手摺りが浴槽の側壁上に固定された状態と固定されていない状態とを切り替えることができる。
【００１６】
このようにすることにより、浴槽の側壁の厚みに合わせて固定することが容易であって、浴槽の側壁への取り付け作業と浴槽の側壁からの取り外し作業とを容易に行うことが可能な浴槽用手摺りを提供することができる。
【００１７】
この発明に従った浴槽用手摺りにおいては、挟み部材は、使用者が挟み部材を操作するための操作部を含み、外側本体部材または内側本体部材は、操作部を係止する係止部を含み、操作部と係止部とは、固定状態となるよう挟み部材が操作されたときに係合されるように配置されていることが好ましい。また、操作部は、凹部または凸部を有し、係止部は、操作部の凹部または凸部と係合する凸部または凹部を有することが好ましい。
【００１８】
挟み部材が操作部を含むことによって、使用者はより容易に、浴槽用手摺りが浴槽の側壁上に固定された状態と固定されていない状態とを切り替えることができる。また、固定状態にするように挟み部材が操作されたときに操作部が係止部に係止されることによって、浴槽用手摺りを浴槽の側壁上に固定された状態に保つことが容易になる。
【００１９】
この発明に従った浴槽用手摺りは、操作部が係止部に係合された状態であることを確認するための係止確認部を備えることが好ましい。
【００２０】
このようにすることにより、浴槽用手摺りを浴槽の側壁上に固定された状態に保つことが確実になる。
【００２１】
この発明に従った浴槽用手摺りにおいては、係止確認部は、係止部に係合された操作部を被覆するように配置されることが好ましい。
【００２２】
このようにすることにより、使用者が不用意に操作部と係止部との係合を外して、浴槽用手摺りが浴槽の側壁上に固定されなくなってしまうことを防ぐことができる。
【００２３】
この発明に従った浴槽用手摺りにおいては、第１の嵌合部と第２の嵌合部とは帯歯である。
【００２４】
このようにすることにより、浴槽の側壁の厚みに合わせて外側本体部材と内側本体部材の位置関係を調整することがさらに容易になる。
【００２５】
この発明に従った浴槽用手摺りにおいては、挟み部材は、外側本体部材または内側本体部材に回動可能に取り付けられた偏心カムであることが好ましい。偏心カムはカム面を有する。そして、当該浴槽用手摺りは、偏心カムが回動することによって、固定状態と非固定状態とを切り替えることが可能となるよう構成されていることが好ましい。
【００２６】
このようにすることにより、使用者は偏心カムを回動させるだけで、浴槽用手摺りが浴槽の側壁上に固定された状態と固定されていない状態とを切り替えることができる。
【００２７】
この発明に従った浴槽用手摺りにおいては、第１の嵌合部または第２の嵌合部の一方は、第１の嵌合部または第２の嵌合部の他方と偏心カムのカム面とによって挟まれることが好ましい。
【００２８】
このようにすることにより、偏心カムを回動させることによって、固定状態と非固定状態とを切り替えることができる。
【００２９】
この発明に従った浴槽用手摺りにおいては、外側本体部材と内側本体部材とは、それぞれ、水平面内に延在する水平部を含むことが好ましい。第１の嵌合部は外側本体部材の水平部に形成され、第２の嵌合部は内側本体部材の水平部に形成され、偏心カムは鉛直面内で回動するように外側本体部材または内側本体部材に取り付けられていることが好ましい。
【００３０】
第１の嵌合部と第２の嵌合部とが水平面内で嵌合する場合、第１の嵌合部と第２の嵌合部との厚みを必要に応じて小さくすることで、嵌合した状態の外側本体部材と内側本体部材との全体の厚みを薄くすることができる。このようにすることにより、浴槽を覆う浴槽蓋と浴槽の側壁の上端面との間にすき間が生じにくくなる。
【００３１】
この発明に従った浴槽用手摺りにおいては、偏心カムは外側本体部材に取り付けられ、第２の嵌合部は第１の嵌合部と偏心カムのカム面とによって挟まれることが好ましい。
【００３２】
このようにすることにより、例えば、内側本体部材を軽くして、使用者が内側本体部材を動かして、浴槽用手摺りを浴槽の側壁の厚みに合わせて固定することを容易にすることができる。
【００３３】
この発明に従った浴槽用手摺りは、内側本体部材に固定される内側把手を備えることが好ましい。
【００３４】
このようにすることにより、使用者が内側本体部材を動かすことをさらに容易にすることができる。
【００３５】
この発明に従った浴槽用手摺りにおいては、偏心カムは、回動軸からカム面までの距離が相対的に小さい小径部と、回動軸からカム面までの距離が相対的に大きい大径部とを含むことが好ましい。偏心カムは、第１の嵌合部または第２の嵌合部から回動軸までの距離が固定された位置に、第１の嵌合部と第２の嵌合部との嵌合面に略直交する面内で回動するように取り付けられていることが好ましい。
【００３６】
偏心カムは、小径部と大径部とを含み、第１の嵌合部または第２の嵌合部から回動軸までの距離が固定されるように配置されている。そのため、偏心カムが回動軸を中心にして回動すると、偏心カムのカム面から第１の嵌合部と第２の嵌合部までの距離が変化する。例えば、偏心カムの大径部が小径部よりも第１の嵌合部と第２の嵌合部側にあるときには、偏心カムの小径部が大径部よりも第１の嵌合部と第２の嵌合部側にあるときと比較して、偏心カムのカム面から第１の嵌合部と第２の嵌合部までの距離が短い。一方、偏心カムの小径部が大径部よりも第１の嵌合部と第２の嵌合部側にあるときには、偏心カムの大径部が小径部よりも第１の嵌合部と第２の嵌合部側にあるときと比較して、偏心カムのカム面から第１の嵌合部と第２の嵌合部までの距離が長い。
【００３７】
外側本体部材と内側本体部材とを浴槽の側壁の側面上に配置し、第１の嵌合部と第２の嵌合部とを嵌合させるときには、偏心カムの大径部が小径部よりも第１の嵌合部と第２の嵌合部側にあるように、偏心カムを回動させる。このとき、偏心カムのカム面から第１の嵌合部と第２の嵌合部との距離が相対的に短く、第１の嵌合部と第２の嵌合部とが嵌合した状態で第１の嵌合部と第２の嵌合部とが固定される固定状態になる。このようにすることにより、内側本体部材と外側本体部材との位置関係が固定される。
【００３８】
一方、使用者が第１の嵌合部と第２の嵌合部とが嵌合する長さを調節するときには、偏心カムの小径部が大径部よりも第１の嵌合部と第２の嵌合部側にあるように、偏心カムを回動させる。このとき、偏心カムのカム面から第１の嵌合部と第２の嵌合部との距離が相対的に長いので、第１の嵌合部と第２の嵌合部とが固定されない非固定状態になる。第１の嵌合部と第２の嵌合部とが固定されていないので、使用者は、比較的容易に、第１の嵌合部と第２の嵌合部との位置関係を調整することができる。
【００３９】
このようにすることにより、偏心カムが回動することによって、固定状態と非固定状態とを切り替えることができる。
【発明の効果】
【００４０】
以上のように、この発明によれば、浴槽の側壁の厚みに合わせて固定することが容易であって、浴槽の側壁への取り付け作業と浴槽の側壁からの取り外し作業とを容易に行うことが可能な浴槽用手摺りを提供することができる。
【図面の簡単な説明】
【００４１】
【図１】本発明の一つの実施形態の浴槽用手摺りの断面を示す図である。
【図２】浴槽用手摺りの外側本体部材の全体を示す斜視図である。
【図３】固定状態のときのロックレバーを示す断面図（Ａ）と、非固定状態のときのロックレバーを示す断面図（Ｂ）である。
【図４】浴槽用手摺りの内側本体部材の全体を示す斜視図である。
【図５】第２実施形態の浴槽用手摺りが固定状態のときの楔部材を示す断面図（Ａ）と、非固定状態のときの楔部材を示す断面図（Ｂ）である。
【発明を実施するための形態】
【００４２】
以下、本発明の実施の形態を図面に基づいて説明する。
【００４３】
（第１実施形態）
図１に示すように、本発明の第１実施形態の浴槽用手摺り１は、本体１０と手摺り部材２０とを備える。本体１０は、外側本体部材１００と、内側本体部材２００と、係止確認部としてフレーム隠しカバー３００と、ハンドルノブ隠しカバー４００とから構成されている。
【００４４】
外側本体部材１００は、主に、固定フレーム１１０と、第１の嵌合部として固定帯歯１２０と、第１の押圧板１３０と、偏心カムとしてロックレバー１４０と、ロックレバー支持部材１５０と、フレーム支持部材１６０と、ハンドルノブ１７０とから構成されている。ロックレバー１４０は、挟み部材の一例である。
【００４５】
固定フレーム１１０はＬ字形状に形成されており、水平部１１１と鉛直部１１２とを含む。外側本体部材１００が浴槽の側壁に取り付けられた状態で、水平部１１１は水平面内に延在し、鉛直部１１２は鉛直面内に延在する。フレーム支持部材１６０は、固定フレーム１１０の鉛直部１１２の外側面を覆うように取り付けられている。フレーム支持部材１６０には、手摺り部材２０を収容する手摺り部材収容部１６１が形成されている。固定帯歯１２０は、固定フレーム１１０の水平部１１１の上面に取り付けられている。固定帯歯１２０の表面上には、複数の凹部と凸部として平行に並んだ多数の歯が形成されている。固定帯歯１２０は、固定フレーム１１０の水平部１１１に直接、形成された凹凸や歯であってもよい。第１の押圧板１３０は、固定フレーム１１０の鉛直部１１２の内側面１１２ａから突出するように取り付けられている。ロックレバー１４０は、ロックレバー支持部材１５０を介して固定フレーム１１０の水平部１１１の上面に取り付けられている。ハンドルノブ１７０は、フレーム支持部材１６０に取り付けられている。ハンドルノブ１７０と第１の押圧板１３０とはボルト軸によって連結されている。ハンドルノブ１７０を回動させることによって、ハンドルノブ１７０からボルト軸に回動力が伝達され、第１の押圧板１３０平面に直交する方向に沿って、第１の押圧板１３０が前進後退される。
【００４６】
内側本体部材２００は、主に、可動フレーム２１０と、第２の嵌合部として可動帯歯２２０と、第２の押圧板２３０と、内側把手として側部グリップ２４０とから構成されている。可動フレーム２１０はＬ字形状に形成されており、水平部２１１と鉛直部２１２とを含む。内側本体部材２００が浴槽の側壁に取り付けられた状態で、水平部２１１は水平面内に延在し、鉛直部２１２は鉛直面内に延在する。可動帯歯２２０は、可動フレーム２１０の水平部２１１の下面に取り付けられている。可動帯歯２２０の表面上には、複数の凹部と凸部として平行に並んだ多数の歯が形成されている。可動帯歯２２０は、可動フレーム２１０の水平部２１１に直接、形成された凹凸や歯であってもよい。第２の押圧板２３０は、可動フレーム２１０の鉛直部２１２の内側面２１２ａから突出するように可動フレーム２１０に取り付けられている。側部グリップ２４０は、可動フレーム２１０の鉛直部２１２の外側面２１２ｂから突出するように可動フレーム２１０に取り付けられている。
【００４７】
手摺り部材２０は、主に、上部グリップ２１と支柱２２とから構成されている。上部グリップ２１は支柱２２に固着されている。手摺り部材２０は、支柱２２の一部が外側本体部材１００の手摺り部材収容部１６１に収容されることによって、外側本体部材１００によって支持される。
【００４８】
外側本体部材１００と内側本体部材２００とは、第１の押圧板１３０と第２の押圧板２３０とが浴槽の側壁（図示しない）を挟んで対向し、固定帯歯１２０と可動帯歯２２０とが対向するように配置される。対向して配置された固定帯歯１２０と可動帯歯２２０とは、それぞれの複数の凹部と凸部とで嵌合する。
【００４９】
フレーム隠しカバー３００は、固定フレーム１１０の水平部１１１と可動フレーム２１０の水平部２１１を上方から覆うように配置される。フレーム隠しカバー３００が外側本体部材１００に取り付けられた状態では、フレーム隠しカバー３００の内側下面３００ａは、ロックレバー１４０の上面と接触する。
【００５０】
ハンドルノブ隠しカバー４００は、ハンドルノブ１７０を覆うように、固定フレーム１１０のフレーム支持部材１６０に取り付けられる。
【００５１】
図２に示すように、外側本体部材１００の固定フレーム１１０の水平部１１１の上面には、固定帯歯１２０が取り付けられている。図中に矢印Ｘで示す方向は、固定フレーム１１０の鉛直部１１２（図１）に直交する方向であり、図中に矢印Ｙで示す方向は、鉛直部１１２と水平部１１１とに平行な方向である。固定帯歯１２０は、長手方向が、固定フレーム１１０の鉛直部１１２に直交する方向、すなわち、図中に矢印Ｘで示す方向に沿うように配置されている。固定帯歯１２０の凹部と凸部（歯）は、固定帯歯１２０の長手方向に沿って交互に配置されている。それぞれの歯は、固定帯歯１２０の長手方向に直交する方向に沿って延びている。固定帯歯１２０は、図中に矢印Ｙで示す、固定フレーム１１０の鉛直部１１２に平行な面に沿って、水平部１１１の幅全体の一部に取り付けられている。なお、固定帯歯１２０は、水平部１１１の幅全体に取り付けられていてもよい。
【００５２】
また、外側本体部材１００の固定フレーム１１０の水平部１１１の上面には、ロックレバー支持部材１５０を介してロックレバー１４０が取り付けられている。ロックレバー支持部材１５０は、固定帯歯１２０から所定の距離、離れた位置に、ロックレバー１４０の回動軸を固定するためのものである。
【００５３】
図３に示すように、ロックレバー１４０は、回動軸１４１と、カム面１４２と、使用者がロックレバー１４０を回動させるための操作部１４３とを含む。図３においては、可動帯歯２２０を一点鎖線で示す。ロックレバー１４０の回動軸１４１は水平面内に配置され、ロックレバー１４０は鉛直面内で回動する。ロックレバー１４０は、また、固定帯歯１２０の長手方向に平行な面内で回動する。使用者は操作部１４３を保持して、ロックレバー１４０を回動させることができる。
【００５４】
ロックレバー１４０は、回動軸１４１からカム面１４２までの距離が相対的に小さい小径部１４２ａと、回動軸１４１からカム面１４２までの距離が相対的に大きい大径部１４２ｂとを含む。操作部１４３には、凹部１４４が形成されている。回動軸１４１は、回動軸１４１と固定帯歯１２０とが距離Ｄの間隔を保つように、ロックレバー支持部材１５０に固定されている。ロックレバー１４０のカム面１４２と固定帯歯１２０との間には隙間が形成されている。ロックレバー支持部材１５０の端部には、係止部として凸部１５１が形成されている。
【００５５】
図３の（Ａ）に示すように、ロックレバー１４０の大径部１４２ｂが小径部１４２ａよりも固定帯歯１２０側にある場合には、ロックレバー１４０のカム面１４２と固定帯歯１２０との間に距離Ｄ１の隙間が形成される。このとき、ロックレバー１４０の操作部１４３の凹部１４４とロックレバー支持部材１５０の凸部１５１とが係合し、ロックレバー１４０は回動しないように固定される。このとき、ロックレバー１４０はロック状態にされている。
【００５６】
一方、図３の（Ｂ）に示すように、ロックレバー１４０の小径部１４２ａが大径部１４２ｂよりも固定帯歯１２０側にあるときには、カム面１４２と固定帯歯１２０との間に距離Ｄ２の隙間が形成される。このとき、ロックレバー１４０の操作部１４３の凹部１４４とロックレバー支持部材１５０の凸部１５１とは係合しない。このとき、ロックレバー１４０は非ロック状態にされている。
【００５７】
図３の（Ａ）に示すように、ロックレバー１４０がロック状態にあるときには、ロックレバー１４０のカム面１４２と固定帯歯１２０との間の距離Ｄ１の隙間は、相対的に小さい。一方、図３の（Ｂ）に示すように、ロックレバー１４０が非ロック状態にあるときには、ロックレバー１４０のカム面１４２と固定帯歯１２０との間の距離Ｄ２の隙間は、相対的に大きい。
【００５８】
このように、使用者は、操作部１４３を持ってロックレバー１４０を回動させて、ロックレバー１４０のロック状態と非ロック状態を切り替えることができる。使用者は、同時に、ロックレバー１４０のカム面１４２と固定帯歯１２０との間の隙間の大きさを変化させることができる。
【００５９】
図４に示すように、内側本体部材２００の可動フレーム２１０の水平部２１１の下面には、可動帯歯２２０が取り付けられている。可動帯歯２２０は、複数の凹部と凸部を有する。可動帯歯２２０の凹部と凸部（歯）は、固定帯歯１２０（図３）の歯と嵌合するように形成されている。可動フレーム２１０は、可動フレーム２１０の水平部２１１が、図３に示すロックレバー１４０のカム面１４２と固定帯歯１２０との間の隙間を通って、矢印Ｘで示す方向に沿ってスライドするように、固定フレーム１１０（図２）と組み合わされる。固定帯歯１２０と可動帯歯２２０とが嵌合された状態では、固定帯歯１２０の上端面よりも上方に延在する可動フレーム２１０の水平部２１１の厚みは、非ロック状態にあるときのロックレバー１４０のカム面１４２と固定帯歯１２０との間の距離Ｄ２よりも小さく、ロック状態にあるときのロックレバー１４０のカム面１４２と固定帯歯１２０との間の距離Ｄ１とほぼ同じ大きさである。
【００６０】
以上のように構成される浴槽用手摺り１の使用方法について説明する。
【００６１】
浴槽の側壁に浴槽用手摺り１を取り付けるときには、まず、外側本体部材１００と内側本体部材２００とが組み合され、第１の押圧板１３０と第２の押圧板２３０との間隔が浴槽の側壁の厚みよりも広くされた状態で、本体１０が浴槽の側壁上に配置される。このとき、フレーム隠しカバー３００とハンドルノブ隠しカバー４００とは取り外しておく。また、ロックレバー１４０を、操作部１４３が凸部１５１と係合しない状態、すなわち、図３の（Ｂ）に示す非ロック状態にする。外側本体部材１００は、固定フレーム１１０の水平部１１１の下面が浴槽の側壁の上面に接触し、第１の押圧板１３０が浴槽の外側の浴槽の側壁面（浴槽の側壁の外側面）に対向するように配置される。内側本体部材２００は、第２の押圧板２３０が浴槽の内側の浴槽の側壁面（浴槽の側壁の内側面）に対向するように配置される。
【００６２】
次に、使用者が内側本体部材２００の側部グリップ２４０を保持して、可動フレーム２１０の水平部２１１を、固定フレーム１１０の水平部１１１上で、浴槽の側壁面に直交する方向に沿ってスライドさせる。このようにして、第１の押圧板１３０が浴槽の側壁の外側面に接触し、第２の押圧板２３０が浴槽の側壁の内側面に接触するように、外側本体部材１００と内側本体部材２００との位置を調整する。
【００６３】
固定フレーム１１０の固定帯歯１２０と可動フレーム２１０の可動帯歯２２０とには、それぞれ、多数の歯が形成されている。固定帯歯１２０のどの歯と、可動帯歯２２０のどの歯とを嵌合させるのかを変更することによって、固定帯歯１２０と可動帯歯２２０とが嵌合する長さを調節することができる。
【００６４】
外側本体部材１００と内側本体部材２００との位置を調整した後、使用者は、ロックレバー１４０の操作部１４３を持ってロックレバー１４０を回動させて、ロックレバー１４０を図３の（Ａ）に示すロック状態にする。ロックレバー１４０のカム面１４２と固定帯歯１２０との間の隙間は、非ロック状態での距離Ｄ２の隙間よりも小さく、距離Ｄ１の隙間になる。ロックレバー１４０のカム面１４２は、可動フレーム２１０の水平部２１１の上面に当接し、外側本体部材１００の水平部１１１の固定帯歯１２０と、内側本体部材２００の水平部２１１の可動帯歯２２０とが互いに押圧される。このようにして、固定帯歯１２０と可動帯歯２２０とが嵌合した状態で固定帯歯１２０と可動帯歯２２０とが互いに押圧されて固定状態になる。ロックレバー１４０は、操作部１４３と凸部１５１とが係合されるまで回動される。
【００６５】
使用者は、必要があれば、ハンドルノブ１７０を回して、第１の押圧板１３０と第２の押圧板２３０とが浴槽の側壁に完全に接触するように、微調整することができる。このようにすることにより、浴槽用手摺り１を浴槽の側壁上に強固に固定することができる。
【００６６】
最後に、使用者は、フレーム隠しカバー３００とハンドルノブ隠しカバー４００を本体１０に取り付ける。フレーム隠しカバー３００は、外側本体部材１００側から内側本体部材２００側に向かって、外側本体部材１００の水平部１１１に沿ってスライドするように取り付けられる。ハンドルノブ隠しカバー４００はハンドルノブ１７０を覆うように外側本体１０に取り付けられる。
【００６７】
外側本体部材１００の水平部１１１に取り付けられたフレーム隠しカバー３００は、ロックレバー１４０の全体を覆う。フレーム隠しカバー３００の内側下面３００ａはロック状態のロックレバー１４０の上面と接触する。このように、フレーム隠しカバー３００は、ロックレバー１４０がロック状態になければ、外側本体部材１００に取り付けることができない。使用者は、フレーム隠しカバー３００を外側本体部材１００に取り付けることができれば、ロックレバー１４０がロック状態にあると判断することができる。一方、使用者は、フレーム隠しカバー３００を外側本体部材１００に取り付けることができなければ、ロックレバー１４０がロック状態にないと判断することができる。したがって、使用者は、フレーム隠しカバー３００を外側本体部材１００に取り付けることによって、ロックレバー１４０がロック状態にあることを確認することができる。
【００６８】
浴槽から浴槽用手摺り１を取り外すときには、使用者は、まず、フレーム隠しカバー３００とハンドルノブ隠しカバー４００とを本体１０から取り外す。次に、使用者はロックレバー１４０の操作部１４３を持って、ロックレバー１４０を鉛直面内で、下から上に向かって回動させるように力を加える。このようにすることにより、ロックレバー１４０の操作部１４３と凸部１５１との係合が外れる。使用者はさらにロックレバー１４０を回動させて、ロックレバー１４０を図３の（Ｂ）に示す非ロック状態にする。非ロック状態では、ロックレバー１４０のカム面１４２と固定帯歯１２０との間の隙間が相対的に大きくなり、外側本体部材１００の水平部１１１の固定帯歯１２０と、内側本体部材２００の水平部２１１の可動帯歯２２０とが互いに押圧されなくなる。このようにして、固定帯歯１２０と可動帯歯２２０とが嵌合した状態で固定帯歯１２０と可動帯歯２２０とが互いに押圧されない非固定状態になる。
【００６９】
非固定状態では、使用者は、比較的容易に可動フレーム２１０を固定フレーム１１０上でスライドさせることができる。なお、可動フレーム２１０と固定フレーム１１０との脱離性等がわるい場合は、帯歯どうしの摩擦低減のために、ロックレバー１４０のロックの解除前または解除後に、必要に応じてハンドルノブ１７０を回して、第１の押圧板１３０と第２の押圧板２３０による浴槽の側壁面の押圧を緩めてもよい。使用者は側部グリップ２４０を保持して、第２の押圧板２３０が浴槽の内壁面から遠ざかる方向に内側本体部材２００を移動させる。第１の押圧板１３０と第２の押圧板２３０との間隔が浴槽の側壁の厚みよりも広くなると、浴槽用手摺り１は浴槽の側壁から取り外される。
【００７０】
以上のように、浴槽用手摺り１は、外側本体部材１００と、内側本体部材２００と、固定帯歯１２０と、可動帯歯２２０と、ロックレバー１４０とを備える。
【００７１】
外側本体部材１００は、浴槽の側壁の外側に配置される。内側本体部材２００は、浴槽の側壁の内側に配置される。固定帯歯１２０は、複数の凹部と凸部とを含み、外側本体部材１００に配置される。可動帯歯２２０は、複数の凹部と凸部とを含み、内側本体部材２００に配置されて、固定帯歯１２０と嵌合する。ロックレバー１４０は、固定帯歯１２０または可動帯歯２２０の一方を固定帯歯１２０または可動帯歯２２０の他方との間で挟むために外側本体部材１００または内側本体部材２００に取り付けられる。
【００７２】
そして、浴槽用手摺り１は、固定帯歯１２０または可動帯歯２２０の一方が、固定帯歯１２０または可動帯歯２２０の他方とロックレバー１４０とによって挟まれることによって、固定帯歯１２０と可動帯歯２２０とが嵌合した状態で固定帯歯１２０と可動帯歯２２０とが固定される固定状態と、固定帯歯１２０と可動帯歯２２０とが固定されない非固定状態とを切り替えることが可能となるよう構成されている。
【００７３】
以上のように構成される浴槽用手摺り１は、使用時には、まず、外側本体部材１００が浴槽の外側に配置され、内側本体部材２００が浴槽の内側に配置される。外側本体部材１００と内側本体部材２００とは、固定帯歯１２０と可動帯歯２２０とが嵌合するように配置される。固定帯歯１２０と可動帯歯２２０はそれぞれ、複数の凹部と凸部とを含むので、固定帯歯１２０のどの凹部または凸部と、可動帯歯２２０のどの凸部または凹部とを嵌合させるのかを変更することによって、固定帯歯１２０と可動帯歯２２０とが嵌合する長さを調節することができる。固定帯歯１２０と可動帯歯２２０とが嵌合する長さを、浴槽の側壁の厚みに沿った方向において調節できるように、固定帯歯１２０と可動帯歯２２０とを配置すれば、浴槽の側壁の厚みに合わせて、外側本体部材１００と内側本体部材２００とを浴槽の側壁の側面上に配置することができる。固定帯歯１２０と可動帯歯２２０に配置される複数の凹部と凸部の間隔は、必要に応じて細かくすることができる。
【００７４】
外側本体部材１００と内側本体部材２００とを浴槽の側壁の側面上に配置し、固定帯歯１２０と可動帯歯２２０とを嵌合させるときには、固定帯歯１２０または可動帯歯２２０の一方が、固定帯歯１２０または可動帯歯２２０の他方とロックレバー１４０とによって挟まれるようにして、固定帯歯１２０と可動帯歯２２０とが嵌合した状態で固定帯歯１２０と可動帯歯２２０とが固定される固定状態にする。このようにすることにより、内側本体部材２００と外側本体部材１００との位置関係が固定される。
【００７５】
一方、使用者が固定帯歯１２０と可動帯歯２２０とが嵌合する長さを調節するときには、使用者はロックレバー１４０を操作して、固定帯歯１２０と可動帯歯２２０とが固定されない非固定状態にする。固定帯歯１２０と可動帯歯２２０とが固定されていないので、使用者は、比較的容易に、固定帯歯１２０と可動帯歯２２０との位置関係を調整することができる。
【００７６】
このように、使用者はロックレバー１４０を操作するだけで、浴槽用手摺り１が浴槽の側壁上に固定された状態と固定されていない状態とを切り替えることができる。
【００７７】
このようにすることにより、浴槽の側壁の厚みに合わせて固定することが容易であって、浴槽の側壁への取り付け作業と浴槽の側壁からの取り外し作業とを容易に行うことが可能な浴槽用手摺り１を提供することができる。
【００７８】
また、浴槽用手摺り１においては、ロックレバー１４０は、使用者がロックレバー１４０を操作するための操作部１４３を含む。操作部１４３は、凹部１４４を有する。外側本体部材１００は、操作部１４３を係止する凸部１５１を含む。操作部１４３と凸部１５１とは、固定状態となるようロックレバー１４０が回動されたときに係合されるように配置されている。
【００７９】
ロックレバー１４０が操作部１４３を含むことによって、使用者はより容易に、浴槽用手摺り１が浴槽の側壁上に固定された状態と固定されていない状態とを切り替えることができる。また、固定状態にするようにロックレバー１４０が回動されたときに操作部１４３が凸部１５１に係止されることによって、浴槽用手摺り１を浴槽の側壁上に固定された状態に保つことが容易になる。
【００８０】
また、浴槽用手摺り１は、操作部１４３が凸部１５１に係合された状態であることを確認するためのフレーム隠しカバー３００を備える。
【００８１】
このようにすることにより、浴槽用手摺り１を浴槽の側壁上に固定された状態に保つことが確実になる。
【００８２】
また、フレーム隠しカバー３００は、凸部１５１に係合された操作部１４３を被覆するように配置される。
【００８３】
このようにすることにより、使用者が不用意に操作部１４３と凸部１５１との係合を外して、浴槽用手摺り１が浴槽の側壁上に固定されなくなってしまうことを防ぐことができる。
【００８４】
また、浴槽用手摺り１においては、固定帯歯１２０と可動帯歯２２０とは帯歯である。
【００８５】
このようにすることにより、浴槽の側壁の厚みに合わせて外側本体部材１００と内側本体部材２００の位置関係を調整することがさらに容易になる。
【００８６】
また、浴槽用手摺り１においては、ロックレバー１４０は、外側本体部材１００または内側本体部材２００に回動可能に取り付けられた偏心カムである。ロックレバー１４０は、カム面１４２を有する。そして、浴槽用手摺り１は、ロックレバー１４０が回動することによって、固定状態と非固定状態とを切り替えることが可能となるよう構成されている。
【００８７】
このようにすることにより、使用者はロックレバー１４０を回動させるだけで、浴槽用手摺り１が浴槽の側壁上に固定された状態と固定されていない状態とを切り替えることができる。
【００８８】
また、浴槽用手摺り１においては、固定帯歯１２０または可動帯歯２２０の一方は、固定帯歯１２０または可動帯歯２２０の他方とロックレバー１４０のカム面１４２とによって挟まれる。
【００８９】
このようにすることにより、ロックレバー１４０を回動させることによって、固定状態と非固定状態とを切り替えることができる。
【００９０】
また、浴槽用手摺り１においては、外側本体部材１００は水平面内に延在する水平部１１１を含み、内側本体部材２００は水平面内に延在する水平部２１１を含む。固定帯歯１２０は外側本体部材１００の水平部１１１に形成されている。可動帯歯２２０は内側本体部材２００の水平部２１１に形成されている。ロックレバー１４０は鉛直面内で回動するように外側本体部材１００に取り付けられている。
【００９１】
固定帯歯１２０と可動帯歯２２０とが水平面内で嵌合する場合、固定帯歯１２０と可動帯歯２２０との厚みを必要に応じて小さくすることで、嵌合した状態の外側本体部材１００と内側本体部材２００との全体の厚みを薄くすることができる。このようにすることにより、浴槽を覆う浴槽蓋と浴槽の側壁の上端面との間にすき間が生じにくくなる。
【００９２】
また、浴槽用手摺り１においては、ロックレバー１４０は外側本体部材１００に取り付けられ、可動帯歯２２０は固定帯歯１２０とロックレバー１４０のカム面１４２とによって挟まれる。
【００９３】
このようにすることにより、例えば、内側本体部材２００を軽くして、使用者が内側本体部材２００を動かして、浴槽用手摺り１を浴槽の側壁の厚みに合わせて固定することを容易にすることができる。
【００９４】
また、浴槽用手摺り１は、内側本体部材２００に固定される側部グリップ２４０を備える。
【００９５】
このようにすることにより、使用者が内側本体部材２００を動かすことをさらに容易にすることができる。
【００９６】
また、浴槽用手摺り１においては、ロックレバー１４０は、回動軸１４１からカム面１４２までの距離が相対的に小さい小径部１４２ａと、回動軸１４１からカム面１４２までの距離が相対的に大きい大径部１４２ｂとを含む。ロックレバー１４０は、固定帯歯１２０から回動軸１４１までの距離Ｄが固定された位置に、固定帯歯１２０と可動帯歯２２０との嵌合面に略直交する面内で回動するように取り付けられている。
【００９７】
ロックレバー１４０は、小径部１４２ａと大径部１４２ｂとを含み、固定帯歯１２０から回動軸１４１までの距離Ｄが固定されるように配置されている。そのため、ロックレバー１４０が回動軸１４１を中心にして回動すると、ロックレバー１４０のカム面１４２から固定帯歯１２０と可動帯歯２２０までの距離が変化する。例えば、ロックレバー１４０の大径部１４２ｂが小径部１４２ａよりも固定帯歯１２０と可動帯歯２２０側にあるときには、ロックレバー１４０の小径部１４２ａが大径部１４２ｂよりも固定帯歯１２０と可動帯歯２２０側にあるときと比較して、ロックレバー１４０のカム面から固定帯歯１２０と可動帯歯２２０までの距離Ｄ１が短い。一方、ロックレバー１４０の小径部１４２ａが大径部１４２ｂよりも固定帯歯１２０と可動帯歯２２０側にあるときには、ロックレバー１４０の大径部１４２ｂが小径部１４２ａよりも固定帯歯１２０と可動帯歯２２０側にあるときと比較して、ロックレバー１４０のカム面１４２から固定帯歯１２０と可動帯歯２２０までの距離Ｄ２が長い。
【００９８】
外側本体部材１００と内側本体部材２００とを浴槽の側壁の側面上に配置し、固定帯歯１２０と可動帯歯２２０とを嵌合させるときには、ロックレバー１４０の大径部１４２ｂが小径部１４２ａよりも固定帯歯１２０と可動帯歯２２０側にあるように、ロックレバー１４０を回動させる。このとき、ロックレバー１４０のカム面１４２から固定帯歯１２０と可動帯歯２２０との距離Ｄ１が相対的に短く、固定帯歯１２０と可動帯歯２２０とが嵌合した状態で固定帯歯１２０と可動帯歯２２０とが互いに押圧される固定状態になる。このようにすることにより、内側本体部材２００と外側本体部材１００との位置関係が固定される。
【００９９】
一方、使用者が固定帯歯１２０と可動帯歯２２０とが嵌合する長さを調節するときには、ロックレバー１４０の小径部１４２ａが大径部１４２ｂよりも固定帯歯１２０と可動帯歯２２０側にあるように、ロックレバー１４０を回動させる。このとき、ロックレバー１４０のカム面１４２から固定帯歯１２０と可動帯歯２２０との距離Ｄ２が相対的に長いので、固定帯歯１２０と可動帯歯２２０とが互いに押圧されない非固定状態になる。固定帯歯１２０と可動帯歯２２０とが互いに押圧されていないので、使用者は、比較的容易に、固定帯歯１２０と可動帯歯２２０との位置関係を調整することができる。
【０１００】
このように、ロックレバー１４０が回動することによって、固定状態と非固定状態とを切り替えることができる。すなわち、使用者はロックレバー１４０を回動させるだけで、浴槽用手摺り１が浴槽の側壁上に固定された状態と固定されていない状態とを切り替えることができる。
【０１０１】
このようにすることにより、浴槽の側壁の厚みに合わせて固定することが容易であって、浴槽の側壁への取り付け作業と浴槽の側壁からの取り外し作業とを容易に行うことが可能な浴槽用手摺り１を提供することができる。
【０１０２】
なお、ロックレバー１４０は外側本体部材１００ではなく、内側本体部材２００に配置されていてもよい。また、ロックレバー１４０の操作部１４３に凹部が形成され、ロックレバー支持部材１５０に凸部が形成されることによって操作部１４３とロックレバー支持部材１５０とが係合されてもよい。ロックレバー１４０とロックレバー支持部材１５０とは他の方法で係合されてもよいし、ロックレバー１４０を係合する別の部材が備えられていてもよい。
【０１０３】
なお、この実施形態においては、ロックレバー１４０は外側本体部材１００に配置されているが、ロックレバー１４０は内側本体部材２００に配置されていてもよい。また、この実施形態においては、内側本体部材２００の可動帯歯２２０が、ロックレバー１４０のカム面１４２と外側本体部材１００の固定帯歯１２０との間に挟まれるが、浴槽用手摺りは固定帯歯１２０が可動帯歯２２０とカム面１４２との間に挟まれるように構成されていてもよい。さらにまた、カム面１４２は、別の部材を介して、可動帯歯２２０が配置される可動フレーム２１０の水平部２１１、または、固定帯歯１２０が配置される固定フレーム１１０の水平部１１１に当接されてもよい。
【０１０４】
（第２実施形態）
第２実施形態の浴槽用手摺りの主な構成は、第１実施形態の浴槽用手摺りと同様である。第２実施形態の浴槽用手摺りが第１実施形態の浴槽用手摺りと異なる点としては、挟み部材として、ロックレバー１４０（図３）の代わりに楔部材を備える。また、第２実施形態の浴槽用手摺りは、フレーム隠しカバー３００（図１）を備えない点で第１実施形態の浴槽用手摺りと異なる。
【０１０５】
図５に示すように、楔部材５４０には、底面５４１と、底面５４１に対向する傾斜した傾斜面５４２と、使用者が楔部材５４０を移動させるために保持する操作部５４３とが形成されている。操作部５４３には、凹部５４４が形成されている。楔部材５４０の底面５４１は可動帯歯２２０の上面に接触するように配置され、楔部材５４０は可動帯歯２２０の上面上でスライドするように移動させられる。
【０１０６】
第２実施形態の浴槽用手摺りにおいては、外側本体部材１００は、ロックレバー支持部材１５０（図３）の代わりに、楔固定部材５５０を含む。外側本体部材１００のその他の構成と効果は、第１実施形態と同様である。
【０１０７】
楔固定部材５５０は、外側本体部材１００において固定帯歯１２０の上方に取り付けられている。楔固定部材５５０の端部には、凸部５５１が形成されている。楔固定部材５５０の下面には傾斜面５５２が形成されている。楔固定部材５５０の傾斜面５５２と固定帯歯１２０との間には隙間がある。可動帯歯２２０は、傾斜面５５２と固定帯歯１２０との間の隙間に差し込まれて、この隙間内でスライドするように動かされる。可動帯歯２２０が固定帯歯１２０と嵌合するように固定帯歯１２０の上面に配置されるとき、楔固定部材５５０と可動帯歯２２０の上面との間には隙間が形成される。
【０１０８】
図５の（Ａ）に示すように、楔固定部材５５０の傾斜面５５２と可動帯歯２２０の上面との間の隙間に楔部材５４０が差し込まれて、楔部材５４０の傾斜面５４２の全体が楔固定部材５５０の傾斜面５５２の全体と接触するように楔部材５４０が配置される。このとき、楔部材５４０の操作部５４３の凹部５４４と楔固定部材５５０の凸部５５１とが係合し、楔部材５４０は移動しないように固定される。楔部材５４０はロック状態にされている。固定帯歯１２０と可動帯歯２２０とは嵌合した状態で固定された固定状態になる。
【０１０９】
一方、図５の（Ｂ）に示すように、楔部材５４０の傾斜面５４２が楔固定部材５５０の傾斜面５５２と接触しないように楔部材５４０が配置されている場合には、楔部材５４０の操作部５４３の凹部５４４と楔固定部材５５０の凸部５５１とは係合しない。楔部材５４０は非ロック状態にされている。このとき、可動帯歯２２０の上面と、楔固定部材５５０の傾斜面５５２との間に隙間が形成されて、固定帯歯１２０と可動帯歯２２０とは固定されない非固定状態になる。
【０１１０】
このように、使用者は、操作部５４３を持って楔部材５４０を移動させて、楔部材５４０のロック状態と非ロック状態を切り替えることができる。
【０１１１】
以上のように、第２実施形態の浴槽用手摺りは、外側本体部材１００と、内側本体部材２００と、固定帯歯１２０と、可動帯歯２２０と、楔部材５４０とを備える。
【０１１２】
外側本体部材１００は、浴槽の側壁の外側に配置される。内側本体部材２００は、浴槽の側壁の内側に配置される。固定帯歯１２０は、複数の凹部と凸部とを含み、外側本体部材１００に配置される。可動帯歯２２０は、複数の凹部と凸部とを含み、内側本体部材２００に配置されて、固定帯歯１２０と嵌合する。楔部材５４０は、固定帯歯１２０または可動帯歯２２０の一方を固定帯歯１２０または可動帯歯２２０の他方との間で挟むために外側本体部材１００に取り付けられる。
【０１１３】
そして、第２実施形態の浴槽用手摺りは、固定帯歯１２０または可動帯歯２２０の一方が、固定帯歯１２０または可動帯歯２２０の他方と楔部材５４０とによって挟まれることによって、固定帯歯１２０と可動帯歯２２０とが嵌合した状態で固定帯歯１２０と可動帯歯２２０とが固定される固定状態と、固定帯歯１２０と可動帯歯２２０とが固定されない非固定状態とを切り替えることが可能となるよう構成されている。
【０１１４】
このようにすることにより、浴槽の側壁の厚みに合わせて固定することが容易であって、浴槽の側壁への取り付け作業と浴槽の側壁からの取り外し作業とを容易に行うことが可能な第２実施形態の浴槽用手摺りを提供することができる。
【０１１５】
また、第２実施形態の浴槽用手摺りにおいては、楔部材５４０は、使用者が楔部材５４０を操作するための操作部５４３を含む。操作部５４３は、凹部５４４を有する。外側本体部材１００は、操作部５４３を係止する凸部５５１を含む。操作部５４３と凸部５５１とは、固定状態となるよう楔部材５４０が操作されたときに係合されるように配置されている。
【０１１６】
楔部材５４０が操作部５４３を含むことによって、使用者はより容易に、浴槽用手摺りが浴槽の側壁上に固定された状態と固定されていない状態とを切り替えることができる。また、固定状態にするように楔部材５４０が操作されたときに操作部５４３が凸部５５１に係止されることによって、第２実施形態の浴槽用手摺りを浴槽の側壁上に固定された状態に保つことが容易になる。
【０１１７】
また、第２実施形態の浴槽用手摺りにおいては、固定帯歯１２０と可動帯歯２２０とは帯歯である。
【０１１８】
このようにすることにより、浴槽の側壁の厚みに合わせて外側本体部材１００と内側本体部材２００の位置関係を調整することがさらに容易になる。
【０１１９】
なお、第２実施形態においては、楔部材５４０において底面５４１に対向する面に傾斜面５４２が形成され、楔固定部材５５０の下面に傾斜面５５２が形成されているが、例えば、楔部材５４０の底面に傾斜面が形成され、可動帯歯２２０の上面に傾斜面が形成されていてもよい。
【０１２０】
以上に開示された実施の形態はすべての点で例示であって制限的なものではないと考慮されるべきである。本発明の範囲は、以上の説明ではなく、特許請求の範囲によって示され、特許請求の範囲と均等の意味および範囲内でのすべての変形を含むものである。
【符号の説明】
【０１２１】
１：浴槽用手摺り、１００：外側本体部材、１１１：水平部、１２０：固定帯歯、１４０：ロックレバー、１４１：回動軸、１４２：カム面、１４２ａ：小径部、１４２ｂ：大径部、１４３：操作部、１４４：凹部、１５１：凸部、２００：内側本体部材、２１１：水平部、２２０：可動帯歯、２４０：側部グリップ、３００：フレーム隠しカバー、５４０：楔部材、５４３：操作部、５４４：凹部、５５１：凸部。
【図１】
2013017625.tif 000003
【図２】
2013017625.tif 000004
【図３】
2013017625.tif 000005
【図４】
2013017625.tif 000006
【図５】
2013017625.tif 000007